(57)【要約】【課題】ケーブルの導電芯線のコンタクトとの接続が、半田付け手法によることなく、比較的簡単な作業により極めて確実かつ堅固に行われるとともに、ケーブルがコンタクトにより堅固に保持されることになるケーブルコネクタ及びケーブル接続方法を提供する。【解決手段】ケーブルコネクタのコンタクト１６が、基準面部２７，基準面２６に交差する交差部２８及び基準面に対して傾斜する傾斜部２９を、基準面部に交差部が連なり、交差部に傾斜部が連なるものとして有し、かつ、傾斜部から屈曲して基準面内に配される屈曲平面部３０及び屈曲平面部から屈曲して基準面に交差する屈曲交差部３１を有し、交差部と傾斜部とに亙る部分に相互対向屈曲部３３が設けられ、屈曲交差部３１に相互対向部３５が設けられて、相互対向屈曲部がケーブル１４の導電芯線１９に対するかしめ接続状態をとり、相互対向部がケーブルの中間絶縁体２０に対するかしめ保持状態をとる。【選択図】図１
2009037748.tif 000002
【特許請求の範囲】
【請求項１】
絶縁ハウジングと、
導電部材で形成されて上記絶縁ハウジングに設けられ、ケーブルの導電芯線との接続状態をとるコンタクトと、
を備えて構成され、
上記コンタクトが、導電性帯状板材が屈曲されて形成され、所定の基準面内に配される基準面部，上記基準面に交差する方向に伸びる交差部及び上記基準面に対して傾斜して伸びる傾斜部を、該傾斜部が上記交差部に対する屈曲部分として該交差部に連なり、上記交差部もしくは上記傾斜部が上記基準面部に連なるものとして有するとともに、上記傾斜部もしくは上記交差部から屈曲して伸びて上記基準面内もしくは上記基準面に平行な面内に配される屈曲平面部、及び、該屈曲平面部から屈曲して上記基準面に交差する方向に伸びる屈曲交差部を有し、上記交差部と上記傾斜部との両者に亙る部分に、ケーブルの導電芯線もしくは該導電芯線を被覆する絶縁体が挿入される第１の溝部を形成する相互対向屈曲部が設けられるとともに、上記屈曲交差部に上記ケーブルの導電芯線を被覆する絶縁体もしくは上記導電芯線が挿入される第２の溝部を形成する相互対向部が設けられ、上記相互対向屈曲部が、上記第１の溝部にケーブルの導電芯線もしくは該導電芯線を被覆する絶縁体が挿入されたもとで、上記交差部を成す部分と上記傾斜部を成す部分との二箇所において、上記導電芯線に対するかしめ接続状態もしくは上記導電芯線を被覆する絶縁体に対するかしめ保持状態をとるべく、相互に近接する方向に変位する変形を生じるものとされるとともに、上記相互対向部が、上記第２の溝部に上記ケーブルの導電芯線を被覆する絶縁体もしくは上記導電芯線が挿入されたもとで、上記導電芯線を被覆する絶縁体に対するかしめ保持状態もしくは上記導電芯線に対するかしめ接続状態をとるべく相互に近接する方向に変位する変形を生じるものとされること、
を特徴とするケーブルコネクタ。
【請求項２】
上記交差部が上記基準面に対して実質的に直交することを特徴とする請求項１記載のケーブルコネクタ。
【請求項３】
上記屈曲交差部が上記基準面に対して実質的に直交することを特徴とする請求項１記載のケーブルコネクタ。
【請求項４】
上記コンタクトの複数個が上記絶縁ハウジングに配列配置されることを特徴とする請求項１記載のケーブルコネクタ。
【請求項５】
上記交差部が上記基準面部に対する屈曲部分として該基準面部に連なり、上記傾斜部が上記交差部から上記基準面に向かう方向に伸び、上記屈曲平面部が上記傾斜部から屈曲して伸びて上記基準面内に配されることを特徴とする請求項１記載のケーブルコネクタ。
【請求項６】
上記交差部が上記基準面部に対する屈曲部分として該基準面部に連なり、上記傾斜部が上記交差部から上記基準面に向かう方向に伸びて、該傾斜部の一端が上記基準面部に近接もしくは当接し、上記屈曲平面部が上記傾斜部の一端から屈曲して伸びて上記基準面に平行な面内に配されることを特徴とする請求項１記載のケーブルコネクタ。
【請求項７】
上記傾斜部が上記基準面部に対する屈曲部分として該基準面部に連なり、上記交差部が上記傾斜部から上記基準面に向かう方向に伸び、上記屈曲平面部が上記交差部から屈曲して伸びて上記基準面内に配されることを特徴とする請求項１記載のケーブルコネクタ。
【請求項８】
上記傾斜部が上記基準面部に対する屈曲部分として該基準面部に連なり、上記交差部が上記傾斜部から上記基準面に向かう方向に伸びて、該交差部の一端が上記基準面部に近接もしくは当接し、上記屈曲平面部が上記交差部の一端から屈曲して伸びて上記基準面に平行な面内に配されることを特徴とする請求項１記載のケーブルコネクタ。
【請求項９】
ケーブルコネクタの絶縁ハウジングに設けられた、導電性帯状板材が屈曲されて形成され、所定の基準面内に配される基準面部，上記基準面に交差する方向に伸びる交差部及び上記基準面に対して傾斜して伸びる傾斜部を、該傾斜部が上記交差部に対する屈曲部分として該交差部に連なり、上記交差部もしくは上記傾斜部が上記基準面部に連なるものとして有するとともに、上記傾斜部もしくは上記交差部から屈曲して伸びて上記基準面内もしくは上記基準面に平行な面内に配される屈曲平面部、及び、該屈曲平面部から屈曲して上記基準面に交差する方向に伸びる屈曲交差部を有し、上記交差部と上記傾斜部との両者に亙る部分に、ケーブルの導電芯線もしくは該導電芯線を被覆する絶縁体が挿入される第１の溝部を形成する相互対向屈曲部が設けられるとともに、上記屈曲交差部に上記ケーブルの導電芯線を被覆する絶縁体もしくは上記導電芯線が挿入される第２の溝部を形成する相互対向部が設けられたコンタクトにおける上記第１の溝部に、ケーブルの導電芯線もしくは該導電芯線を被覆する絶縁体を配するとともに、上記第２の溝部に、上記ケーブルの導電芯線を被覆する絶縁体もしくは上記導電芯線を配し、
上記コンタクトにおける一対の相互対向屈曲部の夫々及び一対の相互対向部の夫々に、上記基準面に対して傾斜角をなす方向の押圧力を作用させることにより、上記相互対向屈曲部に相互に近接する方向に変位する変形を生じさせて、該相互対向屈曲部に、上記交差部を成す部分と上記傾斜部を成す部分との二箇所において、上記第１の溝部に配された上記ケーブルの導電芯線に対するかしめ接続状態もしくは上記第１の溝部に配された上記ケーブルの導電芯線を被覆する絶縁体に対するかしめ保持状態をとらせ、さらに、上記相互対向部に相互に近接する方向に変位する変形を生じさせて、該相互対向部に、上記第２の溝部に配された上記ケーブルの導電芯線を被覆する絶縁体に対するかしめ保持状態もしくは上記第２の溝部に配された上記ケーブルの導電芯線に対するかしめ接続状態をとらせること、
を特徴とするケーブル接続方法。
【請求項１０】
上記コンタクトにおける一対の相互対向屈曲部の夫々及び一対の相互対向部の夫々に作用させる上記基準面に対して傾斜角をなす方向の押圧力を、上記相互対向屈曲部及び上記相互対向部の夫々に係合して上記基準面に向かう方向に移動する押圧手段を用いて生じさせることを特徴とする請求項９記載のケーブル接続方法。
【請求項１１】
上記押圧手段として、該押圧手段の上記相互対向屈曲部及び上記相互対向部の夫々に係合する部分が、上記基準面に対する傾斜角をなす方向に直交する面を形成する傾斜面部とされたものを用いることを特徴とする請求項１０記載のケーブル接続方法。
【発明の詳細な説明】
【技術分野】
【０００１】
本願の特許請求の範囲に記載された発明は、導電芯線とそれを被覆する絶縁体とを備えて成るケーブルの導電芯線が接続されるコンタクトを備えたケーブルコネクタ、及び、導電芯線とそれを被覆する絶縁体とを備えて成るケーブルの導電芯線をケーブルコネクタに設けられたコンタクトに接続された状態となすケーブル接続方法に関する。
【背景技術】
【０００２】
複数の電気部品，電気装置あるいは電子機器間における信号等の伝送を、導電芯線とそれを絶縁体を介して包囲する接地導体とが絶縁被覆されて成る同軸ケーブル等の、導電芯線とそれを被覆する絶縁体とを備えて成るケーブルを用いて行うべく、当該複数の電気部品，電気装置あるいは電子機器をケーブルを介して相互連結するにあたっては、ケーブルが電気的に接続されるケーブルコネクタが用いられることが多い。このようなケーブルコネクタは、ケーブルの導電芯線が接続される、導電材で形成されるコンタクトを備えたものとされる。
【０００３】
斯かるケーブルコネクタとして従来知られているものにあっては、それに対するケーブルの電気的接続が、半田付け手法が用いられて行われるのが一般的であった。即ち、ケーブルコネクタにケーブルが電気的に接続されるにあたり、ケーブルの導電芯線がケーブルコネクタが備える導電性を有したコンタクトに半田付けされるのである。
【０００４】
このように、ケーブルの導電芯線がコンタクトに半田付けされる半田付け手法がとられる際には、特に、ケーブルが極細なものとされ、それに応じてコンタクトが極小なものとされる場合、導電芯線をコンタクトに半田付けする作業が、細心の注意が要される煩わしいものとなるという問題、さらには、使用する半田やフラックスの量の制御が難しく、半田付けに伴う熱がケーブルに伝わって熱による不都合が生じる等の問題があった。そして、これらの問題があることにより、ケーブルが半田付けされた後のケーブルコネクタが、品質の安定性に欠けるものとなる虞があった。取り分け、径が極めて小とされる細線ケーブルの複数本が並行配列されて全体として板状を成す信号伝送用のケーブル集合体を、それに対応するケーブルコネクタに電気的に接続する場合には、こうした問題が顕著となる。
【０００５】
それゆえ、上述のような問題を回避すべく、ケーブルの電気的接続が半田付け手法を用いることなく行われるものとされるケーブルコネクタが望まれることとなる。このようなケーブルの電気的接続が半田付け手法を用いることなく行われるケーブルコネクタとして、ケーブルの導電芯線についての信号用コンタクトへの接続が、圧接あるいは圧入により行われるものが既に提案されている（例えば、特許文献１あるいは特許文献２参照。）。
【０００６】
これらの従来の提案に係るケーブルコネクタにあっては、それが備える配線板あるいはハウジングにより支持された、導電材で成る接続端子あるいは端子ユニット（コンタクト）が、スリットが形成された導線圧接部あるいは導線圧入部が設けられたものとされる。そして、ケーブルの電気的接続がなされる際には、ケーブルの導電芯線が、それを被覆する絶縁体が部分的に剥ぎ取られて外部に露出するものとされて、接続端子あるいは端子ユニットに設けられた導線圧接部あるいは導線圧入部におけるスリットに押し込まれることにより、導線圧接部あるいは導線圧入部に対して圧接あるいは圧入される。それにより、ケーブルの導電芯線が接続端子あるいは端子ユニットに圧接接続あるいは圧入接続されて、ケーブルのケーブルコネクタに対する電気的接続が、半田付け手法によることなく行われる。
【０００７】
また、従来にあっては、信号伝送用のケーブルを、半田付け手法を用いることなく、ケーブルコネクタに電気的接続がなされた状態とすべく、ケーブルコネクタに備えられてケーブルの導電芯線が接続されるコンタクトに、所定の変形を生じさせるケーブル接続方法も提案されている（例えば、特許文献３参照。）。
【０００８】
このような従来の提案に係るケーブル接続方法が実施されるもとにあっては、ケーブルとの接続がなされるコネクタ装置（ケーブルコネクタ）において、そのハウジング等の支持部に立設されるコンタクト部材（コンタクト）が、先端部に一対の分岐部が形成されたものとされる。そして、コネクタ装置に対するケーブルの電気的接続がなされる際には、先ず、ケーブルの導電芯線が、それを被覆する絶縁体が部分的に剥ぎ取られて外部に露出するものとされて、コンタクト部材の先端部に形成された一対の分岐部によって挟まれる状態におかれる。次に、ケーブルの導電芯線を挟んだ一対の分岐部が、夫々に外力が加えられて、互いに近接し合う方向に変位する変形を生じるものとされる。それにより、斯かるコンタクト部材における一対の分岐部の変形が適正に行われると、ケーブルの導電芯線が、一対の分岐部によって堅固に挟持されて、コンタクト部材に電気的に接続されることになり、ケーブルのコネクタ装置に対する電気的接続が、半田付け手法によることなく行われる。
【０００９】
【特許文献１】特開平１０−２８４１４７号公報（第３〜５頁及び第１〜３図）
【特許文献２】特開２００１−２４４０１５号公報（第３〜４頁及び第１，２図）
【特許文献３】特開２００７−４８５４４号公報（第６〜８頁及び第２〜７図）
【発明の開示】
【発明が解決しようとする課題】
【００１０】
上述の特許文献１あるいは特許文献２に開示されているような、信号伝送用のケーブルの導電芯線についてのケーブルコネクタが備える導電性を有したコンタクトへの接続が、圧接あるいは圧入により行われるケーブルコネクタにあっては、ケーブルの導電芯線のコネクタに対する接続が、導電芯線がコンタクトに形成されたスリットに押し込まれて圧接される、あるいは、コンタクトに設けられたスリットに圧入されることにより行われる。このように、導電芯線のコンタクトに対する接続が、コンタクトに形成されたスリットに対する圧接あるいは圧入のみにより行われる場合には、導電芯線のコンタクトに対する接続が、確実性に欠けるものとなるという問題を伴う。
【００１１】
例えば、導電芯線がコンタクトに形成されたスリットに十分に押し込まれずにスリットから浮き上がり、導電芯線のコンタクトに対する圧接あるいは圧入が確実になされない事態、あるいは、導電芯線がコンタクトに形成されたスリットに過度に押し込まれて切断されてしまい、導電芯線のコンタクトに対する圧接あるいは圧入が確実になされない事態等々が生じてしまう虞がある。特に、導電芯線の径が０．１ｍｍ以下とされる極細なケーブルの接続に際しては、ケーブルの切断が生じる虞が大きい。
【００１２】
また、前述のような複数の細線ケーブルが並行配列されて成るケーブル集合体に対応するものとされるケーブルコネクタの場合には、複数のコンタクトが狭ピッチをもって配列配置されて設けられるが、そうしたもとで、複数の細線ケーブルの各々の導電芯線についての、複数のコンタクトのうちの対応するものに形成されたスリットへの圧接あるいは圧入を行うことは、相当の困難を伴うことになる。それに加えて、狭ピッチをもって配列配置されて設けられる複数のコンタクトの夫々は、スペースが制約されることから、それに導電芯線が接続される細線ケーブルを堅固に保持するための手段を備えることができない。そのため、複数のコンタクトの夫々に導電芯線が接続される細線ケーブルが、弱小な保持力をもって保持された不安定な状態におかれることになってしまう。
【００１３】
また、上述の特許文献３に開示されているような、ケーブルの導電芯線をコンタクトの先端部に形成された一対の分岐部によって挟まれる状態においた後、ケーブルの導電芯線を挟んだ一対の分岐部に、互いに近接し合う方向に変位する変形を生じさせて、ケーブルの導電芯線を挟持させることにより、ケーブルの導電芯線をコンタクトに接続するケーブル接続方法が実施される場合にも、次のような不都合がある。
【００１４】
即ち、斯かるケーブル接続方法が実施される場合には、ケーブルコネクタにおけるハウジング等の支持部に立設されるコンタクトが、板状部材の一端部によって構成され、その先端部に一対の分岐部が形成されたものとされる。そして、この板状部材の板厚を大とすることにはコンタクトの寸法に伴う限界があり、コンタクトを構成する板状部材の板厚は、比較的小とせざるを得ないものとされる。そのため、ケーブルの導電芯線を挟んだ一対の分岐部に、互いに近接し合う方向に変位する変形を生じさせるべく加えられる外力の作用方向が多少ずれただけでも、それに対してのコンタクトの強度が不足し、コンタクトが、支持部に対して適正に立設する状態から倒れた状態とされてしまい、一対の分岐部によるケーブルの導電芯線の挟持が適正になされなくなるという問題が生じる虞がある。
【００１５】
また、一対の分岐部によるケーブルの導電芯線の挟持が適正になされるとしても、コンタクトを構成する板状部材の板厚が比較的小とせざるを得ないものとされることにより、一対の分岐部がケーブルの導電芯線を挟持することにより生じる、コンタクトによるケーブルの導電芯線に対する堅固な保持状態が得られず、その結果、ケーブル自体が充分な保持力をもって保持されたものとはされないという問題が生じる虞もある。
【００１６】
斯かる点に鑑み、本願の特許請求の範囲に記載された発明は、導電性を有したコンタクトに対する、例えば、同軸ケーブル等とされるケーブルの導電芯線の接続が、半田付け手法が用いられることなく、比較的容易な作業によって適正かつ確実に行われ、しかも、導電芯線がコンタクトにより極めて堅固に保持されるとともに、ケーブル自体がコンタクトによる充分な保持力をもって保持される状態が得られることになるケーブルコネクタ、及び、例えば、同軸ケーブル等とされる導電芯線を有したケーブルを、導電性を有したコンタクトを備えるケーブルコネクタに電気的に接続するにあたり、ケーブルコネクタにおけるコンタクトに対するケーブルの導電芯線の接続を、半田付け手法を用いることなく、比較的容易な作業によって適正かつ確実に行なうことができ、しかも、導電芯線がコンタクトにより極めて堅固に保持されるとともに、ケーブル自体がコンタクトにより充分な保持力をもって保持される状態を得ることができるケーブル接続方法を提供する。
【課題を解決するための手段】
【００１７】
本願の特許請求の範囲における請求項１から請求項８までのいずれかに記載された発明に係るケーブルコネクタ（以下、本発明に係るケーブルコネクタという。）は、絶縁ハウジングと、導電部材で形成されて絶縁ハウジングに設けられ、ケーブルの導電芯線との接続状態をとるコンタクトと、を備えて構成される。そして、コンタクトが、導電性帯状板材が屈曲されて形成され、所定の基準面内に配される基準面部，基準面に交差する方向に伸びる交差部及び基準面に対して傾斜して伸びる傾斜部を、傾斜部が交差部に対する屈曲部分として交差部に連なり、交差部もしくは傾斜部が基準面部に連なるものとして有するとともに、傾斜部もしくは交差部から屈曲して伸びて基準面内もしくは基準面に平行な面内に配される屈曲平面部、及び、屈曲平面部から屈曲して基準面に交差する方向に伸びる屈曲交差部を有し、交差部と傾斜部との両者に亙る部分に第１の溝部を形成する相互対向屈曲部が設けられるとともに、屈曲交差部に第２の溝部を形成する相互対向部が設けられ、相互対向屈曲部が、第１の溝部にケーブルの導電芯線もしくはそれを被覆する絶縁体が挿入されたもとで、交差部を成す部分と傾斜部を成す部分との二箇所において、導電芯線に対するかしめ接続状態もしくは導電芯線を被覆する絶縁体に対するかしめ保持状態をとるべく、相互に近接する方向に変位する変形を生じるものとされるとともに、相互対向部が、第２の溝部にケーブルの導電芯線を被覆する絶縁体もしくは導電芯線が挿入されたもとで、導電芯線を被覆する絶縁体に対するかしめ保持状態もしくは導電芯線に対するかしめ接続状態をとるべく相互に近接する方向に変位する変形を生じるものとされること、を特徴とするものとされる。
【００１８】
また、本願の特許請求の範囲における請求項９から請求項１１までのいずれかに記載された発明に係るケーブル接続方法（以下、本発明に係るケーブル接続方法という。）は、ケーブルコネクタの絶縁ハウジングに設けられた、導電性帯状板材が屈曲されて形成され、所定の基準面内に配される基準面部，基準面に交差する方向に伸びる交差部及び基準面に対して傾斜して伸びる傾斜部を、傾斜部が交差部に対する屈曲部分として交差部に連なり、交差部もしくは傾斜部が基準面部に連なるものとして有するとともに、傾斜部もしくは交差部から屈曲して伸びて基準面内もしくは基準面に平行な面内に配される屈曲平面部、及び、屈曲平面部から屈曲して基準面に交差する方向に伸びる屈曲交差部を有し、交差部と傾斜部との両者に亙る部分に第１の溝部を形成する相互対向屈曲部が設けられるとともに、屈曲交差部に第２の溝部を形成する相互対向部が設けられたコンタクトにおける第１の溝部に、ケーブルの導電芯線もしくはそれを被覆する絶縁体を配するとともに、第２の溝部に、ケーブルの導電芯線を被覆する絶縁体もしくは導電芯線を配し、コンタクトにおける一対の相互対向屈曲部の夫々及び一対の相互対向部の夫々に、基準面に対して傾斜角をなす方向の押圧力を作用させることにより、相互対向屈曲部に相互に近接する方向に変位する変形を生じさせて、それらに、交差部を成す部分と傾斜部を成す部分との二箇所において、第１の溝部に配されたケーブルの導電芯線に対するかしめ接続状態もしくは第１の溝部に配されたケーブルの導電芯線を被覆する絶縁体に対するかしめ保持状態をとらせ、さらに、相互対向部に相互に近接する方向に変位する変形を生じさせて、それら、第２の溝部に配されたケーブルの導電芯線を被覆する絶縁体に対するかしめ保持状態もしくは第２の溝部に配されたケーブルの導電芯線に対するかしめ接続状態をとらせること、を特徴とするものとされる。
【００１９】
上述の本発明に係るケーブルコネクタにあっては、絶縁ハウジングに設けられるコンタクトが、導電性帯状板材が屈曲されて形成され、所定の基準面内に配される基準面部，基準面に交差する方向に伸びる交差部，基準面に対して傾斜して伸びる傾斜部，傾斜部もしくは交差部から屈曲して伸びて基準面内もしくは基準面に平行な面内に配される屈曲平面部、及び、屈曲平面部から屈曲して基準面に交差する方向に伸びる屈曲交差部を有するものとされる。傾斜部は、交差部に対する屈曲部分として交差部に連なるものとして形成され、また、交差部もしくは傾斜部が、基準面部に連なるものとして形成される。そして、交差部と傾斜部との両者に亙る部分に第１の溝部を形成する一対の相互対向屈曲部が設けられるとともに、屈曲交差部に第２の溝部を形成する一対の相互対向部が設けられる。このようなもとで、一対の相互対向屈曲部が、それらの間に形成された第１の溝部にケーブルの導電芯線もしくはそれを被覆する絶縁体が挿入されたもとで、交差部を成す部分と傾斜部を成す部分との二箇所において、導電芯線に対するかしめ接続状態もしくは導電芯線を被覆する絶縁体に対するかしめ保持状態をとるべく相互に近接する方向に変位する変形を生じるものとされ、それとともに、一対の相互対向部が、それらの間に形成された第２の溝部にケーブルの導電芯線を被覆する絶縁体もしくは導電芯線が挿入されたもとで、導電芯線を被覆する絶縁体に対するかしめ保持状態もしくは導電芯線に対するかしめ接続状態をとるべく相互に近接する方向に変位する変形を生じるものとされる。
【００２０】
また、上述の本発明に係るケーブル接続方法にあっては、ケーブルコネクタの絶縁ハウジングに、導電性帯状板材が屈曲されて形成され、所定の基準面内に配される基準面部，基準面に交差する方向に伸びる交差部及び基準面に対して傾斜して伸びる傾斜部を、傾斜部が交差部に対する屈曲部分として交差部に連なり、交差部もしくは傾斜部が基準面部に連なるものとして有するとともに、傾斜部もしくは交差部から屈曲して伸びて基準面内もしくは基準面に平行な面内に配される屈曲平面部、及び、屈曲平面部から屈曲して基準面に交差する方向に伸びる屈曲交差部を有し、交差部と傾斜部との両者に亙る部分に第１の溝部を形成する相互対向屈曲部が設けられるとともに、屈曲交差部に第２の溝部を形成する相互対向部が設けられたコンタクトが配されたもとにおいて、先ず、第１の溝部にケーブルの導電芯線もしくはそれを被覆する絶縁体を配するとともに、第２の溝部にケーブルの導電芯線を被覆する絶縁体もしくは導電芯線を配する。次に、コンタクトにおける一対の相互対向屈曲部の夫々及び一対の相互対向部の夫々に、基準面に対して傾斜角をなす方向の押圧力を作用させることにより、相互に近接する方向に変位する変形を生じさせて、相互対向屈曲部に、交差部を成す部分と傾斜部を成す部分との二箇所において、第１の溝部に配されたケーブルの導電芯線に対するかしめ接続状態もしくは第１の溝部に配されたケーブルの導電芯線を被覆する絶縁体に対するかしめ保持状態をとらせるとともに、相互対向部に、第２の溝部に配されたケーブルの導電芯線を被覆する絶縁体に対するかしめ保持状態もしくは第２の溝部に配されたケーブルの導電芯線に対するかしめ接続状態をとらせる。
【発明の効果】
【００２１】
このような本発明に係るケーブルコネクタあるいは本発明に係るケーブル接続方法によれば、例えば、同軸ケーブル等とされるケーブルをケーブルコネクタに電気的に接続するにあたり、ケーブルの導電芯線についてのケーブルコネクタに備えられた導電性を有するコンタクトへの接続を、導電性帯状板材が屈曲されて形成され、基準面内に配される基準面部，基準面に交差する方向に伸びる交差部及び基準面に対して傾斜して伸びる傾斜部を、傾斜部が交差部に対する屈曲部分として交差部に連なり、交差部もしくは傾斜部が基準面部に連なるものとして有するとともに、傾斜部もしくは交差部から屈曲して伸びて基準面内もしくは基準面に平行な面内に配される屈曲平面部、及び、屈曲平面部から屈曲して基準面に交差する方向に伸びる屈曲交差部を有するものとされるコンタクトにおける、交差部と傾斜部との両者に亙る部分において第１の溝部を形成する一対の相互対向屈曲部に、交差部を成す部分と傾斜部を成す部分との二箇所において、第１の溝部に挿入されたケーブルの導電芯線に対するかしめ接続状態もしくは第１の溝部に挿入されたケーブルの導電芯線を被覆する絶縁体に対するかしめ保持状態をとるべく、相互に近接する方向に変位する変形を生じさせるとともに、屈曲交差部において第２の溝部を形成する一対の相互対向部に、第２の溝部に挿入されたケーブルの導電芯線を被覆する絶縁体に対するかしめ保持状態もしくは第２の溝部に挿入されたケーブルの導電芯線に対するかしめ接続状態をとるべく、相互に近接する方向に変位する変形を生じさせることにより行なうことができる。
【００２２】
このようにして、ケーブルコネクタに備えられたコンタクトに第１の溝部を形成する一対の相互対向屈曲部と第２の溝部を形成する一対の相互対向部とが設けられたもとで、一対の相互対向屈曲部が、交差部を成す部分と傾斜部を成す部分との二箇所において、第１の溝部に挿入されたケーブルの導電芯線に対するかしめ接続状態もしくは第１の溝部に挿入されたケーブルの導電芯線を被覆する絶縁体に対するかしめ保持状態をとるべく相互に近接する方向に変位する変形を生じるものとされ、また、一対の相互対向部が、第２の溝部に挿入されたケーブルの導電芯線を被覆する絶縁体に対するかしめ保持状態もしくは第２の溝部に挿入されたケーブルの導電芯線に対するかしめ接続状態をとるべく相互に近接する方向に変位する変形を生じるものとされ、そのため、一対の相互対向屈曲部及び一対の相互対向部の夫々に相互に近接する方向に変位する変形を生じさせる外力が加えられる。
【００２３】
その際、コンタクトが、基準面内に配される基準面部，基準面に交差する方向に伸びる交差部及び基準面に対して傾斜して伸びる傾斜部を、傾斜部が交差部に対する屈曲部分として交差部に連なり、交差部もしくは傾斜部が基準面部に連なるものとして有するものとされていることにより、たとえ、交差部と傾斜部との両者に亙る部分に設けられた一対の相互対向屈曲部に加えられる外力の方向が多少ずれたとしても、それによってコンタクトに不所望な変位あるいは変形が生じてしまう事態が回避される。その結果、一対の相互対向屈曲部が、ケーブルの導電芯線もしくはそれを被覆する絶縁体を確実に挟持することになる。しかも、コンタクトに設けられた一対の相互対向屈曲部によるケーブルの導電芯線もしくはそれを被覆する絶縁体に対する挟持は、コンタクトにおける交差部を成す部分とそれに連なる傾斜部を成す部分との二箇所において行われるので、極めて堅固に行われ、一対の相互対向屈曲部により挟持されたケーブルの導電芯線もしくはそれを被覆する絶縁体に、一対の相互対向屈曲部から離隔させようとする外力が作用しても、それにより一対の相互対向屈曲部が変位あるいは変形を生じてしまう虞やケーブルの導電芯線が一対の相互対向屈曲部から離脱してしまう虞が著しく低減される。
【００２４】
また、一対の相互対向屈曲部によりケーブルの導電芯線もしくはそれを被覆する絶縁体が挟持されるのに加えて、さらに、一対の相互対向部が、ケーブルの導電芯線を被覆する絶縁体もしくはケーブルの導電芯線を確実に挟持する。従って、たとえ、ケーブルが前述の細線ケーブルであるとしても、一対の相互対向屈曲部と一対の相互対向部とにより挟持されたケーブルの導電芯線もしくはそれを被覆する絶縁体に、一対の相互対向屈曲部あるいは一対の相互対向部から離隔させようとする外力が作用した場合において、ケーブルの導電芯線もしくはそれを被覆する絶縁体が一対の相互対向屈曲部あるいは一対の相互対向部から離脱してしまう事態が確実に回避される。
【００２５】
なお、本発明に係るケーブルコネクタあるいは本発明に係るケーブル接続方法を、従来知られている、コンタクトをケーブルの被覆絶縁材にその外側から突き刺して内部の導電芯線に接触させるケーブルコネクタあるいはケーブル接続方法と比較しても、本発明に係るケーブルコネクタあるいは本発明に係るケーブル接続方法にあっては、斯かる従来のケーブルコネクタあるいはケーブル接続方法においてみられる、被覆絶縁材内で導電芯線が偏芯していることにより、コンタクトが導電芯線に適正に接触しないという問題、あるいは、コンタクトが被覆絶縁材を充分に突き破ることができず、コンタクトが導電芯線に適正に接触しないという問題等が解消されるという利点が得られる。
【００２６】
従って、本発明に係るケーブルコネクタによれば、ケーブルコネクタに備えられたコンタクトに対するケーブルの導電芯線の接続が、半田付け手法が用いられることなく、比較的容易な作業によって適正かつ確実に行われ、しかも、導電芯線がコンタクトにより極めて堅固に保持される状態が得られるとともに、ケーブル自体がコンタクトにより充分な保持力をもって保持されることになる。また、本発明に係るケーブル接続方法によれば、導電芯線を有したケーブルをケーブルコネクタに電気的に接続するにあたり、ケーブルコネクタにおけるコンタクトに対するケーブルの導電芯線の接続を、半田付け手法を用いることなく、比較的容易な作業によって適正かつ確実に行なうことができ、しかも、導電芯線がコンタクトにより極めて堅固に保持されるとともに、ケーブル自体がコンタクトにより充分な保持力をもって保持される状態を得ることができる。
【発明を実施するための最良の形態】
【００２７】
本発明を実施するための最良の形態は、以下に述べられる本発明についての実施例をもって説明される。
【実施例】
【００２８】
本発明に係るケーブルコネクタの一例、及び、斯かるケーブルコネクタの一例が用いられて実施される、本発明に係るケーブル接続方法の一例が、図１から図１９が参照されて以下に説明される。
【００２９】
図２は、本発明に係るケーブルコネクタの一例に、複数のケーブルが電気的に接続された状態を示す。
【００３０】
図２に示されるように、本発明に係るケーブルコネクタの一例を成すケーブルコネクタ１０は、絶縁材で形成されたハウジングである絶縁ハウジング１１を有しており、絶縁ハウジング１１には、その内部を覆う導電性シェル１２が装着されている。導電性シェル１２には複数の孔１３が形成されており、それらの孔１３を通じて、絶縁ハウジング１１に設けられて、複数のケーブル１４及び１５の導電芯線が夫々接続される導電性を有した複数のコンタクトのうちのコンタクト１６の一部が覗かれている。
【００３１】
複数のケーブル１４及び１５は、互いに平行に配列配置されて、２枚の接着テープ１７に挟まれて固定されており、全体として板状体を成すケーブル群を形成している。複数のケーブル１４の夫々は、導電芯線とそれを被覆する中間絶縁体を介して包囲するシールド導体との全体が外周絶縁体により被覆されて成る同軸ケーブルとされており、また、複数のケーブル１５の夫々は、導電芯線が外周絶縁体により被覆されて成る単芯ケーブルとされている。
【００３２】
図３は、図２に示されるケーブルコネクタ１０について、複数のケーブル１４及び１５の導電芯線の複数のコンタクトへの接続が完了していない段階にあり、それゆえ、導電性シェル１２が装着されていない状態を示す。
【００３３】
図３に示されるように、絶縁ハウジング１１には、その内部に、複数のコンタクト１６が、絶縁ハウジング１１の長手方向に沿って配列配置されて設けられており、さらに、それらに隣接するものとして、複数のコンタクト１８が、絶縁ハウジング１１の長手方向に沿って配列配置されて設けられている。図３における二点鎖線により囲まれた部分IVを拡大して図示する図４に明瞭に示されるように、複数のコンタクト１６には、それらの一部を成す後述される一対の相互対向屈曲部３３に、複数のケーブル１４の導電芯線１９が夫々配されるとともに、それらの他の一部を成す後述される一対の相互対向部３５に、複数のケーブル１４の導電芯線１９を被覆する中間絶縁体２０が夫々配される。また、複数のコンタクト１８には、複数のケーブル１５の導電芯線２１が夫々圧接接続される。
【００３４】
複数のコンタクト１６の相互対向屈曲部３３に夫々配された複数のケーブル１４の夫々の導電芯線１９は、一連の接着テープ２２によって位置決めされる。また、複数のケーブル１４の夫々のシールド導体２３は、一連の細長い接地電極板２４に連結される。
【００３５】
複数のコンタクト１６の夫々は、図５に示されるように、例えば、燐青銅製の導電性帯状板材が屈曲されて形成され、絶縁ハウジング１１に差し込まれて固定される差込固定部２５，差込固定部２５から屈曲して伸びて仮想の基準面２６内に配される基準面部２７，基準面２６に対して、例えば、実質的に直交するものとなるように、基準面２６に交差する方向に伸びる交差部２８，基準面２６に対して傾斜して伸びる傾斜部２９，傾斜部２９から屈曲して伸びて基準面２６内に配される屈曲平面部３０、及び、基準面２６に対して、例えば、実質的に直交するものとなるように、屈曲平面部３０から屈曲して基準面２６に交差する方向に伸びる屈曲交差部３１を有している。基準面部２７，交差部２８及び傾斜部２９は、図５に示されるコンタクト１６の一部を拡大して図示する図６に明瞭に示されるように、交差部２８が基準面部２７に対する屈曲部分として基準面部２７に連なり、また、傾斜部２９が交差部２８に対する屈曲部分として交差部２８に連なるとともに、交差部２８から基準面２６に向かう方向に伸びて屈曲平面部３０にも連なるという関係のもとにおかれている。
【００３６】
そして、交差部２８と傾斜部２９との両者に亙る部分に、ケーブル１４の導電芯線１９が挿入される溝部３２を形成する一対の相互対向屈曲部３３が設けられている。溝部３２の開口側部分は、一対の相互対向屈曲部３３の夫々の頂点側に向けて広がっていて、ケーブル１４の導電芯線１９の溝部３２への挿入を容易にしている。また、屈曲交差部３１には、ケーブル１４の導電芯線１９を被覆する中間絶縁体２０が挿入される溝部３４を形成する一対の相互対向部３５が設けられている。溝部３４の開口側部分も、一対の相互対向部３５の夫々の頂点側に向けて広がっていて、ケーブル１４の中間絶縁体２０の溝部３４への挿入を容易にしている。
【００３７】
複数のケーブル１４の夫々は、その一部分が図５に示されているように、導電芯線１９，導電芯線１９を被覆する中間絶縁体２０，中間絶縁体２０を包囲するシールド導体２３、及び、シールド導体２３を包囲して導電芯線１９，中間絶縁体２０及びシールド導体２３の全部を被覆する外周絶縁体３６によって構成されている。なお、複数のケーブル１５の夫々は、詳細図示が省略されているが、導電芯線２１と導電芯線２１を被覆する外周絶縁体とによって構成されている。
【００３８】
このようなもとで、複数のケーブル１４及び複数のケーブル１５をケーブルコネクタ１０に電気的に接続するにあたっては、先ず、図７に示されるように、複数のケーブル１４の夫々を、ケーブルコネクタ１０の絶縁ハウジング１１に設けられた複数のコンタクト１６のうちの対応する一つに係合させる。その際、図５に示されるように露出せしめられたケーブル１４の導電芯線１９を、対応するコンタクト１６における一対の相互対向屈曲部３３がそれらの間に形成する溝部３２に配するとともに、図５に示されるように露出せしめられたケーブル１４の中間絶縁体２０を、対応するコンタクト１６における一対の相互対向部３５がそれらの間に形成する溝部３４に配する。このとき、コンタクト１６は、それにおける差込固定部２５が絶縁ハウジング１１に差し込まれて固定され、それによって全体が絶縁ハウジング１１に固定された状態にある。
【００３９】
図８は、ケーブル１４の導電芯線１９が、コンタクト１６における一対の相互対向屈曲部３３が形成する溝部３２に配されるとともに、ケーブル１４の中間絶縁体２０が、コンタクト１６における一対の相互対向部３５が形成する溝部３４に配された状態を示す。また。図９，図１０及び図１１は、夫々、図８におけるIX−IX断面図，X −X 断面図及びXI−XI断面図である。
【００４０】
コンタクト１６における一対の相互対向屈曲部３３が形成する溝部３２は、交差部２８と傾斜部２９との両者に亙るものとされるので、溝部３２に配されたケーブル１４の導電芯線１９は、図９及び図１０に示されるように、一対の相互対向屈曲部３３の夫々における交差部２８を成す部分と傾斜部２９を成す部分との二箇所に当接するものとされる。一方、溝部３４に配されたケーブル１４の中間絶縁体２０は、図１１に示されるように、一対の相互対向部３５に一箇所において当接する。このようにケーブル１４の導電芯線１９がコンタクト１６における一対の相互対向屈曲部３３が形成する溝部３２に配されるとともに、ケーブル１４の中間絶縁体２０がコンタクト１６における一対の相互対向部３５が形成する溝部３４に配される状態は、各々が２枚の接着テープ１７に挟まれて固定されるとともに、各々の導電芯線１９が一連の接着テープ２２によって位置決めされたものとされ、さらに、各々のシールド導体２３が一連の細長い接地電極板２４に連結される、複数のケーブル１４の全てについてとられ、それにより、複数のケーブル１４が、複数のコンタクト１６が設けられた絶縁ハウジング１１に対して図３及び図４に示される状態におかれる。
【００４１】
また、それとともに、複数のケーブル１５の夫々について、図３に示されるように露出せしめられた導電芯線２１を、ケーブルコネクタ１０の絶縁ハウジング１１に設けられた複数のコンタクト１８のうちの対応する一つに設けられた圧接係合部に係合させ、当該コンタクト１８に圧接接続するとともに、ケーブル１５自体を、コンタクト１８に係合させて、コンタクト１８により保持されるものとする。斯かる際、コンタクト１８は、その全体が絶縁ハウジング１１に固定された状態にある。このようにケーブル１５の導電芯線２１がコンタクト１８における圧接係合部に係合せしめられるとともに、ケーブル１５自体がコンタクト１８により保持される状態は、複数のケーブル１５の全てについてとられ、複数のケーブル１５が、複数のコンタクト１８が設けられた絶縁ハウジング１１に対して図３に示される状態におかれて、ケーブルコネクタ１０に電気的に接続される。
【００４２】
複数のケーブル１４の夫々の導電芯線１９が複数のコンタクト１６のうちの対応するものにおける一対の相互対向屈曲部３３が形成する溝部３２に配されるとともに、複数のケーブル１４の夫々の中間絶縁体２０が複数のコンタクト１６のうちの対応するものにおける一対の相互対向部３５が形成する溝部３４に配されて、図３及び図４に示される状態におかれたケーブルコネクタ１０及び複数のケーブル１４は、図１２及び図１３に示されるように、それらから離隔した位置に、それらに向かう方向（以下、ａ方向という。）及びそれらから遠ざかる方向（以下、ｂ方向という。）に移動可能とされた押圧装置４０及び押圧装置４１が備えられた状況下におかれる。ａ方向は、複数のコンタクト１６の夫々における基準面部２７及び屈曲平面部３０が配される仮想の基準面２６に実質的に直交して向かう方向とされ、また、ｂ方向は、ａ方向とは逆の方向とされる。
【００４３】
図１２に示される押圧装置４０には、ａ方向に移動したとき、複数のコンタクト１６の夫々に設けられた一対の相互対向屈曲部３３に夫々当接するものとされた、各々がａ方向に対して傾斜した一対の傾斜面４２が、複数のコンタクト１６に夫々対応して複数対形成されている。斯かる一対の傾斜面４２は、コンタクト１６に設けられた一対の相互対向屈曲部３３に夫々当接するとき、押圧装置４０のａ方向の移動に伴って、一対の相互対向屈曲部３３の夫々に、ａ方向に対して傾斜角を成す方向、従って、コンタクト１６における基準面部２７及び屈曲平面部３０が配される仮想の基準面２６に対して傾斜角をなす方向の押圧力を作用させ、それにより、当該一対の相互対向屈曲部３３の夫々に、相互に近接する方向に変位する変形を生じさせることができるものとされる。
【００４４】
同様に、図１３に示される押圧装置４１には、ａ方向に移動したとき、複数のコンタクト１６の夫々に設けられた一対の相互対向部３５に夫々当接するものとされた、各々がａ方向に対して傾斜した一対の傾斜面４３が、複数のコンタクト１６に夫々対応して複数対形成されている。斯かる一対の傾斜面４３は、コンタクト１６に設けられた一対の相互対向部３５に夫々当接するとき、押圧装置４１のａ方向の移動に伴って、一対の相互対向部３５の夫々に、ａ方向に対して傾斜角を成す方向、従って、コンタクト１６における基準面部２７及び屈曲平面部３０が配される仮想の基準面２６に対して傾斜角をなす方向の押圧力を作用させ、それにより、当該一対の相互対向部３５の夫々に、相互に近接する方向に変位する変形を生じさせることができるものとされる。
【００４５】
次に、図１４に示されるように、図３及び図４に示される状態におかれたケーブルコネクタ１０及び複数のケーブル１４から離隔した位置に備えられた押圧装置４０をａ方向に移動させ、押圧装置４０に形成された複数対の傾斜面４２における各対を成す傾斜面４２を、複数のコンタクト１６のうちの対応するものに設けられた一対の相互対向屈曲部３３に夫々当接させる。続いて、各対を成す傾斜面４２が複数のコンタクト１６のうちの対応するものに設けられた一対の相互対向屈曲部３３に夫々当接するものとされた押圧装置４０を、さらにａ方向に移動させ、複数のコンタクト１６の夫々に設けられた一対の相互対向屈曲部３３の夫々に、コンタクト１６における基準面部２７が配される仮想の基準面２６に対して傾斜角をなす方向の押圧力を作用させて、図１４に示されるように、当該一対の相互対向屈曲部３３の夫々に、相互に近接する方向に変位する変形を生じさせる。それにより、相互に近接する方向に変位する変形を生じた一対の相互対向屈曲部３３に、各々における交差部２８を成す部分と傾斜部２９を成す部分との二箇所において、一対の相互対向屈曲部３３の間における溝部３２に配されたケーブル１４の導電芯線１９に対するかしめ接続状態をとらせる。
【００４６】
また、それとともに、図１５に示されるように、図３及び図４に示される状態におかれたケーブルコネクタ１０及び複数のケーブル１４から離隔した位置に備えられた押圧装置４１をａ方向に移動させ、押圧装置４１に形成された複数対の傾斜面４３における各対を成す傾斜面４３を、複数のコンタクト１６のうちの対応するものに設けられた一対の相互対向部３５に夫々当接させる。続いて、各対を成す傾斜面４３が複数のコンタクト１６のうちの対応するものに設けられた一対の相互対向部３５に夫々当接するものとされた押圧装置４１を、さらにａ方向に移動させ、複数のコンタクト１６の夫々に設けられた一対の相互対向部３５の夫々に、コンタクト１６における基準面部２７が配される仮想の基準面２６に対して傾斜角をなす方向の押圧力を作用させて、図１５に示されるように、当該一対の相互対向部３５の夫々に、相互に近接する方向に変位する変形を生じさせる。それにより、相互に近接する方向に変位する変形を生じた一対の相互対向部３５に、それらの間における溝部３４に配されたケーブル１４の中間絶縁体２０に対するかしめ保持状態をとらせる。
【００４７】
このような、コンタクト１６に設けられた一対の相互対向屈曲部３３の夫々が、相互に近接する方向に変位する変形を生じて、交差部２８を成す部分と傾斜部２９を成す部分との二箇所において、一対の相互対向屈曲部３３の間における溝部３２に配されたケーブル１４の導電芯線１９に対するかしめ接続状態をとるものとされるとともに、コンタクト１６に設けられた一対の相互対向部３５の夫々が、相互に近接する方向に変位する変形を生じて、一対の相互対向部３５の間における溝部３４に配されたケーブル１４の中間絶縁体２０に対するかしめ保持状態をとるものとされる状態は、複数のケーブル１４の全てについてとられる。それにより、複数のケーブル１４の導電芯線１９が複数のコンタクト１６に夫々接続されるとともに、複数のケーブル１４の中間絶縁体２０が複数のコンタクト１６により夫々保持されて、複数のケーブル１４が複数のコンタクト１６が設けられた絶縁ハウジング１１を備えるケーブルコネクタ１０に電気的に接続される。
【００４８】
その後、押圧装置４０及び押圧装置４１の夫々を、ｂ方向に移動させて、ケーブルコネクタ１０及び複数のケーブル１４から離隔した位置に戻す。
【００４９】
このようにして、複数のケーブル１４が複数のコンタクト１６が設けられた絶縁ハウジング１１を備えるケーブルコネクタ１０に電気的に接続されたもとにおいては、複数のコンタクト１６の各々は、図１に示されるように、押圧装置４０に形成された対を成す傾斜面４２による押圧力が加えられて、相互に近接する方向に変位する変形を生じた一対の相互対向屈曲部３３が、各々の溝部３２を形成する部分を相互近接もしくは相互当接させ、コンタクト１６における交差部２８を成す部分と傾斜部２９を成す部分との二箇所において、溝部３２に配されたケーブル１４の導電芯線１９をかしめて挟持するものとされる。そして、それにより、ケーブル１４の導電芯線１９がコンタクト１６に電気的に接続される（かしめ接続される）ことになる。
【００５０】
さらに、複数のコンタクト１６の各々は、図１に示されるように、押圧装置４１に形成された対を成す傾斜面４３による押圧力が加えられて、相互に近接する方向に変位する変形を生じた一対の相互対向部３５が、各々の溝部３４を形成する部分を相互近接させて、溝部３４に配されたケーブル１４の中間絶縁体２０をかしめて挟持するものとされる。そして、それにより、ケーブル１４の中間絶縁体２０がコンタクト１６により堅固に保持される（かしめ保持される）ことになる。
【００５１】
即ち、コンタクト１６における一対の相互対向屈曲部３３が交差部２８及び傾斜部２９の両者に亙る部分に設けられていることにより、一対の相互対向屈曲部３３に押圧装置４０に形成された対を成す傾斜面４２による押圧力が加えられるとき、その押圧力の方向が多少ずれたとしても、それによってコンタクト１６に不所望な変位あるいは変形が生じてしまう事態が回避され、コンタクト１６に設けられた一対の相互対向屈曲部３３が、ケーブル１４の導電芯線１９を確実に挟持することになる。さらに、一対の相互対向屈曲部３３によるケーブル１４の導電芯線１９に対する挟持は、コンタクト１６における交差部２８を成す部分とそれに連なる傾斜部２９を成す部分との二箇所におけるかしめがなされて行われるので、極めて堅固に行われ、一対の相互対向屈曲部３３により挟持されたケーブル１４の導電芯線１９に、一対の相互対向屈曲部３３から離隔させようとする外力が作用しても、それにより一対の相互対向屈曲部３３が変位あるいは変形を生じてしまう虞やケーブル１４の導電芯線１９が一対の相互対向屈曲部３３から離脱してしまう虞が著しく低減される。
【００５２】
さらに、上述に加えて、コンタクト１６に設けられた一対の相互対向部３５に、押圧装置４１に形成された対を成す傾斜面４３による押圧力が加えられるとき、一対の相互対向部３５によるケーブル１４の中間絶縁体２０に対するかしめが行われて、一対の相互対向部３５がケーブル１４の中間絶縁体２０を堅固に挟持することになる。それにより、一対の相互対向部３５により挟持されたケーブル１４の中間絶縁体２０に、一対の相互対向部３５から離隔させようとする外力が作用しても、中間絶縁体２０が一対の相互対向部３５から離脱してしまう虞が著しく低減される。
【００５３】
このようにして、コンタクト１６に設けられた一対の相互対向屈曲部３３がケーブル１４の導電芯線１９を確実に挟持するとともに、コンタクト１６に設けられた一対の相互対向部３５がケーブル１４の中間絶縁体２０を堅固に挟持する結果、コンタクト１６に対する導電芯線１９の電気的接続が、半田付け手法が用いられることなく、比較的容易な作業によって適正かつ確実に行われるとともに、導電芯線１９及び中間絶縁体２０がコンタクト１６により極めて堅固に保持され、その結果、ケーブル１４自体がコンタクト１６により充分な保持力をもって保持される状態が得られることになる。
【００５４】
なお、上述のようにして、複数のケーブル１４の導電芯線１９が複数のコンタクト１６に夫々接続されるとともに、複数のケーブル１４の中間絶縁体２０が複数のコンタクト１６により夫々保持され、さらに、複数のケーブル１５の導電芯線２１が複数のコンタクト１８に夫々接続されるとともに、複数のケーブル１５が複数のコンタクト１８により夫々保持された後、複数のコンタクト１６及び複数のコンタクト１８が設けられた絶縁ハウジング１１に、その内部を覆う導電性シェル１２が装着されて、ケーブルコネクタ１０が図２に示される状態とされる。
【００５５】
図１６から図１９までの夫々は、上述の複数のコンタクト１６の各々についての変形例を部分的に示す。
【００５６】
図１６にその部分が示されるコンタクト１６の変形例は、仮想の基準面２６内に配される基準面部２７，仮想の基準面２６に対して、例えば、実質的に直交するものとなるように、基準面２６に交差する方向に伸びる交差部２８、及び、基準面２６に対して傾斜して伸びる傾斜部２９を、交差部２８が基準面部２７に対する屈曲部分として基準面部２７に連なり、傾斜部２９が交差部２８に対する屈曲部分として交差部２８に連なって基準面部２７に向かう方向に伸び、傾斜部２９の一端が基準面部２７に近接するという関係におかれたものとして有するとともに、それらに加えて、傾斜部２９の一端から屈曲して伸びて基準面２６に平行な面内に配される屈曲平面部３０、及び、屈曲平面部３０から屈曲して基準面２６に対して、例えば、実質的に直交するものとなるように、基準面２６に交差する方向に伸びる屈曲交差部３１を有している。それにより、基準面部２７の一部，交差部２８及び傾斜部２９によって、断面形状が三角形状とされる筒状部が形成されており、押圧力による変形を生じ難い構成がとられている。そして、交差部２８と傾斜部２９との両者に亙る部分に溝部３２を形成する一対の相互対向屈曲部３３が設けられるとともに、屈曲交差部３１に溝部３４を形成する一対の相互対向部３５が設けられている。
【００５７】
斯かる図１６にその部分が示されるコンタクト１６の変形例にケーブル１４を係合させるにあたっては、図１７に示されるように、露出せしめられたケーブル１４の導電芯線１９を、屈曲交差部３１に設けられた一対の相互対向部３５がそれらの間に形成する溝部３４に配するとともに、露出せしめられたケーブル１４の中間絶縁体２０を、交差部２８と傾斜部２９との両者に亙る部分に設けられた一対の相互対向屈曲部３３がそれらの間に形成する溝部３２に配する。その後、例えば、図１３に示される押圧装置４１に形成された対を成す傾斜面４３により、一対の相互対向部３５の夫々に、基準面２６に対して傾斜角をなす方向の押圧力を作用させて、相互に近接する方向に変位する変形を生じさせ、それにより、一対の相互対向部３５に、それらの間における溝部３４に配されたケーブル１４の導電芯線１９に対するかしめ接続状態をとらせる。また、それとともに、例えば、図１２に示される押圧装置４０に形成された対を成す傾斜面４２により、一対の相互対向屈曲部３３の夫々に、基準面２６に対して傾斜角をなす方向の押圧力を作用させて、相互に近接する方向に変位する変形を生じさせ、それにより、一対の相互対向屈曲部３３に、交差部２８を成す部分と傾斜部２９を成す部分との二箇所において、一対の相互対向屈曲部３３の間における溝部３２に配されたケーブル１４の中間絶縁体２０に対するかしめ保持状態をとらせる。
【００５８】
その結果、コンタクト１６に設けられた一対の相互対向部３５が、ケーブル１４の導電芯線１９を、それに対するかしめ接続状態をとって、コンタクト１６との確実な電気的接続がなされるものとするとともに、コンタクト１６に設けられた一対の相互対向屈曲部３３が、交差部２８を成す部分と傾斜部２９を成す部分との二箇所においてケーブル１４の中間絶縁体２０に対するかしめ保持状態をとって、ケーブル１４の中間絶縁体２０をコンタクト１６により堅固に保持されるものとする。
【００５９】
このような図１６にその部分が示されるコンタクト１６の変形例が用いられる場合にも、前述の図６に示される部分を有するコンタクト１６が用いられる場合において得られる作用効果と同様な作用効果が得られる。
【００６０】
図１８にその部分が示されるコンタクト１６の変形例は、仮想の基準面２６内に配される基準面部２７，仮想の基準面２６に対して、例えば、実質的に直交するものとなるように、基準面２６に交差する方向に伸びる交差部２８、及び、基準面２６に対して傾斜して伸びる傾斜部２９を、傾斜部２９が基準面部２７に対する屈曲部分として基準面部２７に連なり、交差部２８が傾斜部２９に対する屈曲部分として傾斜部２８に連なって基準面２６に向かう方向に伸びるという関係におかれたものとして有するとともに、それらに加えて、交差部２８の一端から屈曲して伸びて基準面２６内に配される屈曲平面部３０、及び、屈曲平面部３０から屈曲して基準面２６に対して、例えば、実質的に直交するものとなるように、基準面２６に交差する方向に伸びる屈曲交差部３１を有している。そして、交差部２８と傾斜部２９との両者に亙る部分に溝部３２を形成する一対の相互対向屈曲部３３が設けられるとともに、屈曲交差部３１に溝部３４を形成する一対の相互対向部３５が設けられている。
【００６１】
斯かる図１８にその部分が示されるコンタクト１６の変形例にケーブル１４を係合させるにあたっては、前述の図６に示される部分を有するコンタクト１６にケーブル１４を係合させる場合と同様に、露出せしめられたケーブル１４の導電芯線１９を、交差部２８と傾斜部２９との両者に亙る部分に設けられた一対の相互対向屈曲部３３がそれらの間に形成する溝部３２に配するとともに、露出せしめられたケーブル１４の中間絶縁体２０を、屈曲交差部３１に設けられた一対の相互対向部３５がそれらの間に形成する溝部３４に配する。その後、例えば、図１２に示される押圧装置４０に形成された対を成す傾斜面４２により、一対の相互対向屈曲部３３の夫々に、基準面２６に対して傾斜角をなす方向の押圧力を作用させて、相互に近接する方向に変位する変形を生じさせ、それにより、一対の相互対向屈曲部３３に、交差部２８を成す部分と傾斜部２９を成す部分との二箇所において、一対の相互対向屈曲部３３の間における溝部３２に配されたケーブル１４の導電芯線１９に対するかしめ接続状態をとらせる。また、それとともに、例えば、図１３に示される押圧装置４１に形成された対を成す傾斜面４３により、一対の相互対向部３５の夫々に、基準面２６に対して傾斜角をなす方向の押圧力を作用させて、相互に近接する方向に変位する変形を生じさせ、それにより、一対の相互対向部３５に、それらの間における溝部３４に配されたケーブル１４の中間絶縁体２０に対するかしめ接続状態をとらせる。
【００６２】
その結果、コンタクト１６に設けられた一対の相互対向屈曲部３３が、交差部２８を成す部分と傾斜部２９を成す部分との二箇所においてケーブル１４の導電芯線１９に対するかしめ接続状態をとって、ケーブル１４の導電芯線１９をコンタクト１６との確実な電気的接続がなされるものとするとともに、コンタクト１６に設けられた一対の相互対向部３５が、ケーブル１４の中間絶縁体２０に対するかしめ保持状態をとって、ケーブル１４の中間絶縁体２０をコンタクト１６により堅固に保持されるものとする。
【００６３】
このような図１８にその部分が示されるコンタクト１６の変形例が用いられる場合にも、前述の図６に示される部分を有するコンタクト１６が用いられる場合において得られる作用効果と同様な作用効果が得られる。
【００６４】
図１９にその部分が示されるコンタクト１６の変形例は、仮想の基準面２６内に配される基準面部２７，仮想の基準面２６に対して、例えば、実質的に直交するものとなるように、基準面２６に交差する方向に伸びる交差部２８、及び、基準面２６に対して傾斜して伸びる傾斜部２９を、傾斜部２９が基準面部２７に対する屈曲部分として基準面部２７に連なり、交差部２８が傾斜部２９に対する屈曲部分として傾斜部２９に連なって基準面２６に向かう方向に伸び、交差部２８の一端が基準面部２７に近接するという関係におかれたものとして有するとともに、それらに加えて、交差部２８の一端から屈曲して伸びて基準面２６に平行な面内に配される屈曲平面部３０、及び、屈曲平面部３０から屈曲して基準面２６に対して、例えば、実質的に直交するものとなるように、基準面２６に交差する方向に伸びる屈曲交差部３１を有している。それにより、基準面部２７の一部，傾斜部２９及び交差部２８によって、断面形状が三角形状とされる筒状部が形成されており、押圧力による変形を生じ難い構成がとられている。そして、交差部２８と傾斜部２９との両者に亙る部分に溝部３２を形成する一対の相互対向屈曲部３３が設けられるとともに、屈曲交差部３１に溝部３４を形成する一対の相互対向部３５が設けられている。
【００６５】
斯かる図１９にその部分が示されるコンタクト１６の変形例にケーブル１４を係合させるにあたっては、図１６にその部分が示されるコンタクト１６の変形例にケーブル１４を係合させる場合と同様に、露出せしめられたケーブル１４の導電芯線１９を、屈曲交差部３１に設けられた一対の相互対向部３５がそれらの間に形成する溝部３４に配するとともに、露出せしめられたケーブル１４の中間絶縁体２０を、交差部２８と傾斜部２９との両者に亙る部分に設けられた一対の相互対向屈曲部３３がそれらの間に形成する溝部３２に配する。その後、例えば、図１３に示される押圧装置４１に形成された対を成す傾斜面４３により、一対の相互対向部３５の夫々に、基準面２６に対して傾斜角をなす方向の押圧力を作用させて、相互に近接する方向に変位する変形を生じさせ、それにより、一対の相互対向部３５に、それらの間における溝部３４に配されたケーブル１４の導電芯線１９に対するかしめ接続状態をとらせる。また、それとともに、例えば、図１２に示される押圧装置４０に形成された対を成す傾斜面４２により、一対の相互対向屈曲部３３の夫々に、基準面２６に対して傾斜角をなす方向の押圧力を作用させて、相互に近接する方向に変位する変形を生じさせ、それにより、一対の相互対向屈曲部３３に、交差部２８を成す部分と傾斜部２９を成す部分との二箇所において、一対の相互対向屈曲部３３の間における溝部３２に配されたケーブル１４の中間絶縁体２０に対するかしめ保持状態をとらせる。
【００６６】
その結果、コンタクト１６に設けられた一対の相互対向部３５が、ケーブル１４の導電芯線１９を、それに対するかしめ接続状態をとって、コンタクト１６との確実な電気的接続がなされるものとするとともに、コンタクト１６に設けられた一対の相互対向屈曲部３３が、交差部２８を成す部分と傾斜部２９を成す部分との二箇所においてケーブル１４の中間絶縁体２０に対するかしめ保持状態をとって、ケーブル１４の中間絶縁体２０をコンタクト１６により堅固に保持されるものとする。
【００６７】
このような図１９にその部分が示されるコンタクト１６の変形例が用いられる場合にも、前述の図６に示される部分を有するコンタクト１６が用いられる場合において得られる作用効果と同様な作用効果が得られる。
【００６８】
上述のような、各々が図６に示される部分を有するものとされる複数のコンタクト１６、あるいは、例えば、図１６から図１９までの夫々にその部分が示されるその変形例を備えたケーブルコネクタ１０とされる、本発明に係るケーブルコネクタの一例によれば、ケーブルコネクタ１０に備えられたコンタクト１６あるいはその変形例に対するケーブル１４の導電芯線１９の接続が、半田付け手法が用いられることなく、比較的容易な作業によって適正かつ確実に行われ、しかも、導電芯線１９がコンタクト１６あるいはその変形例により極めて堅固に保持される状態が得られるとともに、ケーブル１４自体がコンタクト１６あるいはその変形例により充分な保持力をもって保持されることになる。また、斯かるケーブルコネクタ１０が用いられて実施される、本発明に係るケーブル接続方法の一例によれば、導電芯線１９を有したケーブル１４をケーブルコネクタ１０に電気的に接続するにあたり、ケーブルコネクタ１０におけるコンタクト１６あるいはその変形例に対するケーブル１４の導電芯線１９の接続を、半田付け手法を用いることなく、比較的容易な作業によって適正かつ確実に行なうことができ、しかも、導電芯線１９がコンタクト１６あるいはその変形例により極めて堅固に保持されるとともに、ケーブル１４自体がコンタクト１６あるいはその変形例により充分な保持力をもって保持される状態を得ることができる。
【産業上の利用可能性】
【００６９】
以上のような本発明に係るケーブルコネクタ及びケーブル接続方法は、ケーブルの導電芯線のそれに対応するコンタクトに対する接続を、半田付け手法を用いることなく、しかも、比較的簡単な作業をもって極めて確実かつ堅固に行うことができるとともに、ケーブル自体をコンタクトにより充分な保持力をもって保持される状態におくことができるものとして、各種のコネクタ装置あるいは電子機器の製造等に広く適用され得るものである。
【図面の簡単な説明】
【００７０】
【図１】本発明に係るケーブルコネクタの一例に備えられるコンタクトにケーブルの導電芯線が接続されるとともに、当該コンタクトによりケーブルの中間絶縁体が保持された状態を示す斜視図である。
【図２】本発明に係るケーブルコネクタの一例に、複数のケーブルが電気的に接続された状態を示す斜視図である。
【図３】本発明に係るケーブルコネクタの一例に対する複数のケーブルの接続過程の説明に供される斜視図である。
【図４】図３における二点鎖線により囲まれた部分IVを拡大して図示する部分斜視図である。
【図５】本発明に係るケーブルコネクタの一例に備えられるコンタクトにケーブルの導電芯線が接続されるとともに、当該コンタクトによりケーブルの中間絶縁体が保持される過程の説明に供される斜視図である。
【図６】本発明に係るケーブルコネクタの一例に備えられるコンタクトの部分を示す側面図である。
【図７】本発明に係るケーブルコネクタの一例に備えられるコンタクトにケーブルの導電芯線が接続されるとともに、当該コンタクトによりケーブルの中間絶縁体が保持される過程の説明に供される斜視図である。
【図８】本発明に係るケーブルコネクタの一例に備えられるコンタクトにケーブルの導電芯線が接続されるとともに、当該コンタクトによりケーブルの中間絶縁体が保持される過程の説明に供される一部破断側面図である。
【図９】図８におけるIX−IX断面図である。
【図１０】図８におけるX −X 断面図である。
【図１１】図８におけるXI−XI断面図である。
【図１２】本発明に係るケーブルコネクタの一例に対する複数のケーブルの接続過程の説明に供される部分側面図である。
【図１３】本発明に係るケーブルコネクタの一例に対する複数のケーブルの接続過程の説明に供される部分側面図である。
【図１４】本発明に係るケーブルコネクタの一例に対する複数のケーブルの接続過程の説明に供される部分側面図である。
【図１５】本発明に係るケーブルコネクタの一例に対する複数のケーブルの接続過程の説明に供される部分側面図である。
【図１６】本発明に係るケーブルコネクタの一例に備えられるコンタクトについての変形例の部分を示す側面図である。
【図１７】図１６にその部分が示されるコンタクトについての変形例にケーブルの導電芯線が接続されるとともに、当該変形例によりケーブルの中間絶縁体が保持される状態を示す側面図である。
【図１８】本発明に係るケーブルコネクタの一例に備えられるコンタクトについての変形例の部分を示す側面図である。
【図１９】本発明に係るケーブルコネクタの一例に備えられるコンタクトについての変形例の部分を示す側面図である。
【符号の説明】
【００７１】
１０・・・ケ−ブルコネクタ，  １１・・・絶縁ハウジング，  １２・・・導電性シェル，  １３・・・孔，  １４，１５・・・ケーブル，  １６，１８・・・コンタクト，  １７，２２・・・接着テープ，  １９，２１・・・導電芯線，  ２０・・・中間絶縁体，  ２３・・・シールド導体，  ２４・・・接地電極板，  ２５・・・差込固定部，  ２６・・・基準面，  ２７・・・基準面部，  ２８・・・交差部，  ２９・・・傾斜部，  ３０・・・屈曲平面部，  ３１・・・屈曲交差部，  ３２，３４・・・溝部，  ３３・・・相互対向屈曲部，  ３５・・・相互対向部，  ３６・・・外周絶縁体，  ４０，４１・・・押圧装置，  ４２，４３・・・傾斜面
【図１】
2009037748.tif 000003
【図２】
2009037748.tif 000004
【図３】
2009037748.tif 000005
【図４】
2009037748.tif 000006
【図５】
2009037748.tif 000007
【図６】
2009037748.tif 000008
【図７】
2009037748.tif 000009
【図８】
2009037748.tif 000010
【図９】
2009037748.tif 000011
【図１０】
2009037748.tif 000012
【図１１】
2009037748.tif 000013
【図１２】
2009037748.tif 000014
【図１３】
2009037748.tif 000015
【図１４】
2009037748.tif 000016
【図１５】
2009037748.tif 000017
【図１６】
2009037748.tif 000018
【図１７】
2009037748.tif 000019
【図１８】
2009037748.tif 000020
【図１９】
2009037748.tif 000021